(57)【要約】【課題】発着衝突における誤接続を確実に防止する。【解決手段】受信側のファクシミリ装置２０は、着信時に公衆電話網から相手装置の電話番号情報を受信した後、上記受信された相手装置の電話番号情報を含むファクシミリ手順信号であるＮＳＦ信号を相手装置のファクシミリ装置２０に送信する。一方、送信側のファクシミリ装置２０は、相手装置のファクシミリ装置２０に対してファクシミリ送信したときに、上記相手装置のファクシミリ装置２０からのファクシミリ手順信号であるＮＳＦ信号に含まれる自装置の電話番号情報を検出し、上記検出された自装置の電話番号情報と、ＲＡＭ７の自装置電話番号メモリ７ａに記憶された自装置の電話番号情報とが一致しているか否かを判断し、一致しているときに画像データをファクシミリ送信し、一致していないときに、画像データをファクシミリ送信することを中止する。【選択図】図３
2008072196.tif 000002
【特許請求の範囲】
【請求項１】
自装置情報を記憶する記憶手段と、
相手装置の通信端末装置に対してファクシミリ送信したときに、上記相手装置の通信端末装置からのファクシミリ手順信号に含まれる自装置情報を検出し、上記検出された自装置情報と、上記記憶された自装置情報とが一致しているか否かを判断し、一致しているときに画像データをファクシミリ送信する制御手段とを備えたことを特徴とする通信端末装置。
【請求項２】
上記制御手段は、一致していないときに、画像データをファクシミリ送信することを中止することを特徴とする請求項１記載の通信端末装置。
【請求項３】
着信時に、ネットワークからの相手装置情報を受信する受信手段と、
上記受信された相手装置情報を含むファクシミリ手順信号を相手装置の通信端末装置に送信する送信手段とを備えたことを特徴とする通信端末装置。
【請求項４】
上記相手装置情報を含むファクシミリ手順信号を相手装置の通信端末装置に送信した後、上記受信手段は画像データを受信することを特徴とする請求項３記載の通信端末装置。
【請求項５】
上記ネットワークからの相手装置情報は、相手装置の電話番号又は名称であることを特徴とする請求項３又は４記載の通信端末装置。
【発明の詳細な説明】
【技術分野】
【０００１】
本発明は、例えば、ファクシミリ装置等の通信端末装置に関する。
【背景技術】
【０００２】
特許文献１においては、電話番号入力ミスによる誤送信を防止することが可能なファクシミリ装置及びその方法が提案されている。このファクシミリ装置では、ワンタッチキーの登録において電話番号が入力されると、入力された電話番号の相手先に発呼して通信を行い、相手先のファクシミリ装置から送られてくるＴＳＩ，ＣＳＩの情報を取得した後、回線を切る。その取得した情報を操作部の画面に表示する。ユーザーは、その情報を確認してから実際の登録を行う。これにより、間違った電話番号の登録を防ぐことができるという効果を奏している。
【０００３】
【特許文献１】特開２００２−０１６７７４号公報。
【発明の開示】
【発明が解決しようとする課題】
【０００４】
また、従来技術に係るファクシミリ装置において、送信しようとするときに、着信呼があったときに、当該装置がタイミング的に送信モードを維持して、着信呼の相手装置に対して誤ってファクシミリ送信してしまうという、いわゆる「発着衝突における誤接続」の事例があった。しかしながら、この従来技術に係るファクシミリ装置において誤接続を防止するための手段はいまだ提案されていない。
【０００５】
本発明の目的は以上の問題点を解決し、上述の「発着衝突における誤接続」を確実に防止することができるファクシミリ装置等の通信端末装置を提供することにある。
【課題を解決するための手段】
【０００６】
第１の発明に係るファクシミリ装置は、自装置情報を記憶する記憶手段と、
相手装置の通信端末装置に対してファクシミリ送信したときに、上記相手装置の通信端末装置からのファクシミリ手順信号に含まれる自装置情報を検出し、上記検出された自装置情報と、上記記憶された自装置情報とが一致しているか否かを判断し、一致しているときに画像データをファクシミリ送信する制御手段とを備えたことを特徴とする。
【０００７】
上記通信端末装置において、上記制御手段は、一致していないときに、画像データをファクシミリ送信することを中止することを特徴とする。
【０００８】
第２の発明に係るファクシミリ装置は、着信時に、ネットワークからの相手装置情報を受信する受信手段と、
上記受信された相手装置情報を含むファクシミリ手順信号を相手装置の通信端末装置に送信する送信手段とを備えたことを特徴とする。
【０００９】
上記通信端末装置において、上記相手装置情報を含むファクシミリ手順信号を相手装置の通信端末装置に送信した後、上記受信手段は画像データを受信することを特徴とする。
【００１０】
また、上記通信端末装置において、上記ネットワークからの相手装置情報は、相手装置の電話番号又は名称であることを特徴とする。
【発明の効果】
【００１１】
従って、本発明に係る通信端末装置によれば、受信側の通信端末装置は、着信時に、ネットワークからの相手装置情報を受信した後、上記受信された相手装置情報を含むファクシミリ手順信号を相手装置の通信端末装置に送信する一方、送信側の通信端末装置は、相手装置の通信端末装置に対してファクシミリ送信したときに、上記相手装置の通信端末装置からのファクシミリ手順信号に含まれる自装置情報を検出し、上記検出された自装置情報と、上記記憶された自装置情報とが一致しているか否かを判断し、一致しているときに画像データをファクシミリ送信し、一致していないときに、画像データをファクシミリ送信することを中止する。従って、ファクシミリ送信先の情報をネットワークからの情報で確認しているので、上述の「発着衝突における誤接続」を確実に防止することができる。
【発明を実施するための最良の形態】
【００１２】
以下、本発明に係る実施形態について図面を参照して説明する。なお、以下の各実施形態において、同様の構成要素については同一の符号を付している。
【００１３】
図１は、本発明に係る実施形態であるファクシミリ装置２０の構成を示すブロック図である。本実施形態に係るファクシミリ装置２０は、受信側装置電話番号確認後送信機能を有することを特徴としている。すなわち、受信側のファクシミリ装置２０は、着信時に、ネットワークである公衆電話網から例えばナンバー・ディスプレイサービスによる相手装置の電話番号情報を受信した後、上記受信された相手装置の電話番号情報を含むファクシミリ手順信号であるＮＳＦ信号を相手装置のファクシミリ装置２０に送信する。一方、送信側のファクシミリ装置２０は、相手装置のファクシミリ装置２０に対してファクシミリ送信したときに、上記相手装置のファクシミリ装置２０からのファクシミリ手順信号であるＮＳＦ信号に含まれる自装置の電話番号情報を検出し、上記検出された自装置の電話番号情報と、ＲＡＭ７の自装置電話番号メモリ７ａに記憶された自装置の電話番号情報とが一致しているか否かを判断し、一致しているときに画像データをファクシミリ送信し、一致していないときに、画像データをファクシミリ送信することを中止する。
【００１４】
図１において、ファクシミリ装置２０は、主制御部（ＣＰＵ）１と、画像読取部２と、画像記録部３と、表示部４と、操作部５と、ＲＯＭ６と、ＲＡＭ７と、画像メモリ８と、ファックスモデム１０と、ＮＣＵ（ネットワーク制御回路：Network Control Unit）１１とを備えて構成され、上記各構成要素１乃至１１は、バス１３を介して互いに接続されている。ＮＣＵ１１は、公衆電話回線Ｌを介して相手先のファクシミリ装置と接続されている。
【００１５】
ファクシミリ装置２０は、従来のＧ３方式等のファクシミリ通信機能を備える。主制御部１は具体的にはＣＰＵ（中央処理装置：Central Processing Unit）で構成されており、バス１３を介して以下のハードウェア各部と接続されてそれらを制御するほか、後述する種々のソフトウェアの機能を実行する。
【００１６】
画像読取部２は、ＣＣＤ等を利用したスキャナで原稿を読み取り、白黒２値に変更したドット画像データを出力する。画像記録部３は電子写真方式等のプリンタ装置であり、他のファクシミリ装置からファクシミリ通信により受信した画像データをハードコピーとしてプリントアウトして記録する。表示部４は、液晶表示装置（ＬＣＤ）又はＣＲＴディスプレイ等の表示装置であり、当該ファクシミリ装置２０の動作状態の表示や、送信すべき原稿の画像データ及び受信した画像データの表示を行う。
【００１７】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１８】
ＲＯＭ６は、当該ファクシミリ装置２０の動作に必要であって主制御部１によって実行される種々のソフトウェアのプログラムを予め格納し、ここで、当該プログラムは、少なくとも後述する図２のファクシミリ送信処理及び図３のファクシミリ受信処理のプログラムを含む。ＲＡＭ７（Random Access Memory）は、ＳＲＡＭ（Static Random Access Memory）又はフラッシュメモリ等で構成され、主制御部１のワーキングエリアとして使用されてプログラムの実行時に発生する一時的なデータを記憶する。また、ＲＡＭ７は、自装置の電話番号を格納する自装置電話番号メモリ７ａを含む。なお、ＲＡＭ７としてフラッシュメモリを使用した場合には、停電、装置の移動等のために電源が遮断された場合にもそのデータの内容が失われない。画像メモリ８はＤＲＡＭ（Dynamic Random Access Memory）等で構成され、送信すべき画像データ又は受信した画像データを記憶する。なお、ＲＡＭ７及び画像メモリ８をハードディスクメモリで構成してもよい。
【００１９】
ファックスモデム１０は、ＮＣＵ１１を介して公衆電話回線Ｌに接続され、通常のファクシミリ通信用のファックスモデムの機能を有するモデムであり、ＦＳＫ信号（周波数シフトキーイング信号）として受信される発信電話番号情報のデータを復調して主制御部１に出力する。ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ＩＳＤＮ回線等のベースバンド伝送方式のデジタル回線に接続するようにしてもよい。
【００２０】
以上のように構成された本実施形態のファクシミリ装置２０は、通常のＧ３方式等のファクシミリ通信機能に加えて受信側装置電話番号確認後送信機能を有している。ファクシミリ通信機能において、画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに複合化されて画像記録部３からハードコピーとして出力される。なお、画像メモリ８は画像データを必要に応じて記憶し、また逆に記憶している画像データを必要に応じて出力する。
【００２１】
図２は図１のファクシミリ装置２０の主制御部１によって実行される受信側装置電話番号確認後送信機能のためのファクシミリ受信処理を示すフローチャートである。
【００２２】
図２において、まず、ステップＳ１において、着信したか否かが判断され、ＹＥＳのときはステップＳ２に進む一方、ＮＯのときはステップＳ１に戻る。次いで、ステップＳ２において、例えばＮＴＴのナンバー・ディスプレイサービスによる相手装置の電話番号を受信し、ＲＡＭ７の一時メモリに格納し、ステップＳ３において、ＣＮＧ信号を受信しＣＥＤ信号を送出する。さらに、ステップＳ４において、受信した相手装置の電話番号をＮＳＦ信号にセットし、ステップＳ５において、ＮＳＦ信号、ＣＳＩ信号及びＤＩＳ信号を送出し、ＴＳＩ信号及びＤＣＳ信号を受信する。そして、ステップＳ６においてトレーニング処理を実行し、ステップＳ７においてＣＦＲ信号を送出し、ステップＳ８において画像データを受信し、ステップＳ９において回線を切断した後、ステップＳ１に戻る。
【００２３】
図３は図１のファクシミリ装置２０の主制御部１によって実行される受信側装置電話番号確認後送信機能のためのファクシミリ送信処理を示すフローチャートである。
【００２４】
図３において、まず、ステップＳ１１において、送信イベントが発生したか否かが判断され、ＹＥＳのときはステップＳ１２に進む一方、ＮＯのときはステップＳ１１に戻る。次いで、ステップＳ１２において、相手装置の電話番号に発呼してダイヤルし、ステップＳ１３において、ＣＮＧ信号を送信し、ＣＥＤ信号を受信し、ステップＳ１４において、ＮＳＦ信号、ＣＳＩ信号及びＤＩＳ信号を受信する。そして、ステップＳ１５において、ＮＳＦ信号にセットされた自装置の電話番号と、ＲＡＭ７の自装置電話番号メモリ７ａ内の自装置の電話番号とを比較して一致するか否かが判断され、ＹＥＳのときはステップＳ１６に進む一方、ＮＯのときはステップＳ２１に進む。ステップＳ１６では、ＴＳＩ信号及びＤＣＳ信号を送出し、ステップＳ１７においてトレーニング処理を実行し、ステップＳ１８においてＣＦＲ信号を受信する。さらに、ステップＳ１９において画像データを送信した後、ステップＳ２０において回線を切断し、ステップＳ１１に戻る。一方、ステップＳ２１では、ＤＣＮ信号を送出し、ステップＳ２２において回線を切断し、ステップＳ１１に戻る。
【００２５】
以上説明したように、本実施形態に係るファクシミリ装置２０によれば、受信側のファクシミリ装置２０は、着信時に、ネットワークである公衆電話網から例えばナンバー・ディスプレイサービスによる相手装置の電話番号情報を受信した後、上記受信された相手装置の電話番号情報を含むファクシミリ手順信号であるＮＳＦ信号を相手装置のファクシミリ装置２０に送信する。一方、送信側のファクシミリ装置２０は、相手装置のファクシミリ装置２０に対してファクシミリ送信したときに、上記相手装置のファクシミリ装置２０からのファクシミリ手順信号であるＮＳＦ信号に含まれる自装置の電話番号情報を検出し、上記検出された自装置の電話番号情報と、ＲＡＭ７の自装置電話番号メモリ７ａに記憶された自装置の電話番号情報とが一致しているか否かを判断し、一致しているときに画像データをファクシミリ送信し、一致していないときに、画像データをファクシミリ送信することを中止する。従って、送信側のファクシミリ装置２０でも受信側のファクシミリ装置２０の電話番号を確認することにより、受信側のファクシミリ装置２０を特定できる。また、受信側のファクシミリ装置２０において発信元番号が登録されていなくても相手方のファクシミリ装置２０で受信側のファクシミリ装置２０の電話番号を確認できる。それ故、ファクシミリ送信先の電話番号を公衆電話網（ネットワーク）からの情報で確認しているので、上述の「発着衝突における誤接続」を確実に防止することができる。
【００２６】
以上の実施形態においては、例えばナンバー・ディスプレイサービスによる公衆電話網からの電話番号を相手方のファクシミリ装置２０に対して返信しているが、本発明はこれに限らず、例えばナンバー・ディスプレイ（ネーム・ディスプレイ対応）サービスによる公衆電話網からの名称（ネーム）を相手方のファクシミリ装置２０に対して返信して、名称により一致判断をするようにしてもよい。すなわち、ネットワークからの情報であれば、電話番号や名称に限らず、相手方のファクシミリ装置２０を限定できる装置情報であればよい。
【産業上の利用可能性】
【００２７】
以上詳述したように、本発明に係る通信端末装置によれば、受信側の通信端末装置は、着信時に、ネットワークからの相手装置情報を受信した後、上記受信された相手装置情報を含むファクシミリ手順信号を相手装置の通信端末装置に送信する一方、送信側の通信端末装置は、相手装置の通信端末装置に対してファクシミリ送信したときに、上記相手装置の通信端末装置からのファクシミリ手順信号に含まれる自装置情報を検出し、上記検出された自装置情報と、上記記憶された自装置情報とが一致しているか否かを判断し、一致しているときに画像データをファクシミリ送信し、一致していないときに、画像データをファクシミリ送信することを中止する。従って、ファクシミリ送信先の情報をネットワークからの情報で確認しているので、上述の「発着衝突における誤接続」を確実に防止することができる。
【図面の簡単な説明】
【００２８】
【図１】本発明に係る実施形態であるファクシミリ装置２０の構成を示すブロック図である。
【図２】図１のファクシミリ装置２０の主制御部１によって実行される受信側装置電話番号確認後送信機能のためのファクシミリ受信処理を示すフローチャートである。
【図３】図１のファクシミリ装置２０の主制御部１によって実行される受信側装置電話番号確認後送信機能のためのファクシミリ送信処理を示すフローチャートである。
【符号の説明】
【００２９】
１…主制御部（ＣＰＵ）、
２…画像読取部、
３…画像記録部、
４…表示部、
５…操作部、
６…ＲＯＭ、
７…ＲＡＭ、
７ａ…自装置電話番号メモリ、
８…画像メモリ、
１０…ファックスモデム、
１１…ＮＣＵ、
１３…バス、
２０…ファクシミリ装置。
【図１】
2008072196.tif 000003
【図２】
2008072196.tif 000004
【図３】
2008072196.tif 000005